(57)【要約】【課題】  扉の施錠及び開錠を行う場合に、自端末のメールアドレスや電話番号を利用せずに生成した電子鍵を利用することで、手間をかけることなく、セキュリティを維持することができる制御方法、通信システムおよび無線通信装置を提供する。【解決手段】  無線通信装置と、無線通信装置と無線接続され、無線通信装置から要求された処理を実行する制御装置からなる通信システムでは、無線通信装置は、記憶する複数種のデータに基づいて、電子鍵を生成して送信し、一方、制御装置は、電子鍵を受信して記憶し、電子鍵が、無線通信装置によって生成された電子鍵である場合、処理を実行する。【選択図】  図２
2009263974.tif 000002
【特許請求の範囲】
【請求項１】
無線通信装置と、前記無線通信装置と無線接続され、当該無線通信装置から要求された処理を実行する制御装置と、からなる通信システムであって、
前記無線通信装置が記憶している複数種のデータに基づいて生成した第１の電子鍵を、前記無線通信装置と前記制御装置とが記憶する第１の記憶ステップと、
前記無線通信装置が、
前記記憶しているデータのうち、前記第１の電子鍵の生成に利用されたデータと異なる種類のデータに基づいて、第２の電子鍵を生成する生成ステップと、
前記制御装置へ、前記生成した第２の電子鍵を前記第１の電子鍵とともに送信する第１の送信ステップと、
前記制御装置が、
前記無線通信装置からの、前記第２の電子鍵を記憶する第２の記憶ステップと、
前記記憶された第１の電子鍵と、前記第１の送信ステップで送信された第１の電子鍵とに基づいて、第１の処理を実行する第１の処理ステップと、
前記無線通信装置が、
前記制御装置に、前記第２の電子鍵を送信する第２の送信ステップと、
前記制御装置が、
前記記憶された前記第２の電子鍵と、前記無線通信装置から前記第２の送信ステップで送信された前記第２の電子鍵に基づいて、第２の処理を実行する第２の処理ステップと、
前記第２の電子鍵を、前記無線通信装置と前記制御装置とが記憶する第３の記憶ステップと、
を有することを特徴とする通信システムの制御方法。
【請求項２】
前記複数種のデータには、無線通信における履歴データが含まれる、
ことを特徴とする請求項１に記載の通信システムの制御方法。
【請求項３】
前記履歴データとは、
通信先装置の電話番号またはメールアドレスと無線通信時の日時とが対応付けられたデータである、
ことを特徴とする請求項２に記載の通信システムの制御方法。
【請求項４】
前記複数種のデータには、無線通信における通信先装置の電話番号及び／またはメールアドレスと、当該通信先装置の利用者に関する情報とが対応付けられたデータが含まれる、
ことを特徴とする請求項１乃至３のいずれか一項に記載の通信システムの制御方法。
【請求項５】
前記複数種のデータには、前記無線通信装置の電話番号及び／またはメールアドレスと、当該無線通信装置の利用者に関する情報とが対応付けられたデータが含まれる、
ことを特徴とする請求項１乃至４のいずれか一項に記載の通信システムの制御方法。
【請求項６】
前記無線通信装置では、
前記記憶しているデータのうち、前記第１の電子鍵と前記第２の電子鍵の生成に利用されたデータと異なる種類のデータに基づいて、第３の電子鍵を生成する第２の生成ステップと、
をさらに有し、
前記無線通信装置における前記第２の送信ステップでは、
前記制御装置に、前記第２の電子鍵とともに前記第３の電子鍵を送信する、
ことを特徴とする請求項１乃至５のいずれか一項に記載の通信システムの制御方法。
【請求項７】
無線通信装置と、前記無線通信装置と無線接続され、当該無線通信装置から要求された処理を実行する制御装置と、からなる通信システムであって、
前記無線通信装置は、
複数種のデータを記憶するデータ記憶部と、
前記データ記憶部に記憶されたデータに基づいて電子鍵を生成する生成部と、
前記生成部において生成された電子鍵を記憶する第１の電子鍵記憶部と、
前記電子鍵を、前記制御装置に送信する送信部と、を備え、
前記制御装置は、
前記無線通信装置から送信された電子鍵を受信する受信部と、
前記受信部において受信された電子鍵を記憶する第２の電子鍵記憶部と、
前記第２の電子鍵記憶部に記憶された電子鍵に基づいて、所定の処理を実行させる制御部と、を備え、
前記無線通信装置では、
前記生成部において生成された第１の電子鍵が、前記送信部から送信され、かつ、前記第１の電子鍵記憶部に記憶された後、次に、前記送信部から電子鍵を送信する場合には、
前記生成部において、前記データ記憶部に記憶されたデータのうち、前記第１の電子鍵の生成に利用されたデータと異なる種類のデータに基づいて第２の電子鍵を生成し、
前記送信部において、前記生成部で生成された前記第２の電子鍵を、前記第１の電子鍵記憶部に記憶されている前記第１の電子鍵とともに送信し、
前記制御装置では、
前記受信部において受信された第１の電子鍵が、前記第２の電子鍵記憶部に記憶された後に、前記受信部において前記無線通信装置から送信された前記第１の電子鍵と前記第２の電子鍵とが受信された場合には、
前記制御部では、前記第２の電子鍵記憶部に記憶された第１の電子鍵と、前記受信部において受信された第１の電子鍵とに基づいて、前記所定の処理を実行し、
前記第２の電子鍵記憶部では、前記受信部で受信された前記第２の電子鍵が記憶される、
ことを特徴とする通信システム。
【請求項８】
所定の処理を実行する制御装置と無線接続される無線通信装置であって、
複数種のデータを記憶するデータ記憶部と、
前記データ記憶部に記憶されたデータに基づいて電子鍵を生成する生成部と、
前記生成部において生成された電子鍵を記憶する電子鍵記憶部と、
前記電子鍵を、前記制御装置に送信する送信部と、を備え、
前記生成部において生成された第１の電子鍵が、前記送信部から送信され、かつ、前記第１の電子鍵記憶部に記憶された後、次に、前記送信部から電子鍵を送信する場合には、
前記生成部において、前記データ記憶部に記憶されたデータのうち、前記第１の電子鍵の生成に利用されたデータと異なる種類のデータに基づいて第２の電子鍵を生成し、
前記送信部において、前記生成部で生成された前記第２の電子鍵を、前記電子鍵記憶部に記憶されている前記第１の電子鍵とともに送信する、
ことを特徴とする無線通信装置。
【発明の詳細な説明】
【技術分野】
【０００１】
本発明は、通信システム、その制御方法、および、無線通信装置に関する。
【背景技術】
【０００２】
住宅の玄関等における扉では、ピッキング等への対策とし、電子鍵で扉の開錠または施錠を行う電子錠が利用されている。この電子鍵は、外出時に携帯する携帯電話等で生成される。そして、生成された電子鍵は、無線通信によって携帯電話等から扉の施錠や開錠の錠制御装置に送信され、当該錠制御装置が事前に登録されている電子鍵と一致するかを確認した後に、扉の施錠または開錠が行われる。携帯電話等では、各携帯電話等に割り当てられている、各携帯電話等に固有の電話番号又はメールアドレスを錠制御装置に登録しておくことで、電話番号又はメールアドレスを排他的な電子鍵として利用している。
しかしながら、電話番号やメールアドレス等の情報は、第三者が容易に取得することができるため、電子鍵として容易に利用されてしまう可能性がある。そのため、各携帯電話等に固有のメールアドレスを利用したメール鍵と、手動で入力するパスワードによる鍵と、メールにて配信される不在鍵といった、複数の電子鍵を開錠に利用することでセキュリティを向上させる技術が提案されている（例えば、特許文献１を参照）。
【特許文献１】特開２００４−３０８２５７号公報
【発明の開示】
【発明が解決しようとする課題】
【０００３】
上述した特許文献１では、メール鍵に各携帯電話等に固有のメールアドレスのみを継続して利用しているため、当該メールアドレスを割り当てられた携帯電話等と通信を行ったことのある第三者に、メール鍵を容易に生成されてしまう可能性がある。また、不在鍵は、インターネットなどの公衆回線を介したメールを、第三者に傍受された場合、解読される可能性がある。さらに、不在鍵は、住宅に誰かがいる限り送信されることはなく、設定後に更新しない限り継続して利用することとなるパスワードも入力時に第三者に盗み見られる場合もあり、セキュリティを維持することができない可能性がある。そのため、セキュリティを維持する対策とし、携帯電話等のメールアドレス変更を行ったり、パスワードの変更といった手間のかかる作業をユーザは行う必要があり、負担がかかることとなる。
したがって、かかる点に鑑みてなされた本発明の目的は、手間をかけることなく電子鍵の生成に利用するデータを変更し、更新された電子鍵を利用することで、セキュリティを維持する通信システム、その制御方法、および、無線通信装置を提供することにある。
【課題を解決するための手段】
【０００４】
上述した諸課題を解決すべく、第１の発明による通信システムの制御方法は、無線通信装置と、前記無線通信装置と無線接続され、当該無線通信装置から要求された処理を実行する制御装置と、からなる通信システムであって、前記無線通信装置が記憶している複数種のデータに基づいて生成した第１の電子鍵を、前記無線通信装置と前記制御装置とが記憶する第１の記憶ステップと、前記無線通信装置が、前記記憶しているデータのうち、前記第１の電子鍵の生成に利用されたデータと異なる種類のデータに基づいて、第２の電子鍵を生成する生成ステップと、前記制御装置へ、前記生成した第２の電子鍵を前記第１の電子鍵とともに送信する第１の送信ステップと、前記制御装置が、前記無線通信装置からの、前記第２の電子鍵を記憶する第２の記憶ステップと、前記記憶された第１の電子鍵と、前記第１の送信ステップで送信された第１の電子鍵とに基づいて、第１の処理を実行する第１の処理ステップと、前記無線通信装置が、前記制御装置に、前記第２の電子鍵を送信する第２の送信ステップと、前記制御装置が、前記記憶された前記第２の電子鍵と、前記無線通信装置から前記第２の送信ステップで送信された前記第２の電子鍵に基づいて、第２の処理を実行する第２の処理ステップと、前記第２の電子鍵を、前記無線通信装置と前記制御装置とが記憶する第３の記憶ステップと、を有することを特徴とする。
第１の特徴によれば、無線通信装置が記憶している複数種のデータのうち、異なるデータに基づいて電子鍵を生成するので、電子鍵を生成する度に異なる電子鍵を生成でき、手間をかけることなく、セキュリティも維持することができる。また、「無線通信装置が記憶している複数種のデータ」とは、例えば、無線通信装置に記憶されている自端末の識別情報やユーザに関する情報、電話帳に記憶される情報、通信における履歴など、を含むデータである。さらに、制御装置において実行する処理とは、例えば、電子鍵による扉の開錠及び施錠といった物理的な処理や、例えば、ストリーミング通信などにおける通信時における処理を含む。
また、第２の発明による通信システムの制御方法は、前記複数種のデータには、無線通信における履歴データが含まれる、ことを特徴とする。
第２の特徴によれば、無線通信装置固有のメールアドレスや電話番号を利用せず、時分割多元接続などの無線通信方式の利用状況を示す、利用状況に応じて容易に更新される履歴データに基づく電子鍵を利用するので、手間をかけることなく、異なるデータから使用する電子鍵を生成することができるだけでなく、セキュリティも維持することができる。
また、第３の発明による通信システムの制御方法は、前記履歴データとは、通信先装置の電話番号またはメールアドレスと無線通信時の日時とが対応付けられたデータである、ことを特徴とする。
また、第４の発明による通信システムの制御方法は、前記複数種のデータには、無線通信における通信先装置の電話番号及び／またはメールアドレスと、当該通信先装置の利用者に関する情報とが対応付けられたデータが含まれる、ことを特徴とする。
また、第５の発明による通信システムの制御方法は、前記複数種のデータには、前記無線通信装置の電話番号及び／またはメールアドレスと、当該無線通信装置の利用者に関する情報とが対応付けられたデータが含まれる、ことを特徴とする。
また、第６の発明による通信システムの制御方法は、前記無線通信装置では、前記記憶しているデータのうち、前記第１の電子鍵と前記第２の電子鍵の生成に利用されたデータと異なる種類のデータに基づいて、第３の電子鍵を生成する第２の生成ステップと、をさらに有し、前記無線通信装置における前記第２の送信ステップでは、前記制御装置に、前記第２の電子鍵とともに前記第３の電子鍵を送信する、ことを特徴とする。
上述した諸課題を解決すべく、第７の発明による通信システムは、無線通信装置と、前記無線通信装置と無線接続され、当該無線通信装置から要求された処理を実行する制御装置と、からなる通信システムであって、前記無線通信装置は、複数種のデータを記憶するデータ記憶部と、前記データ記憶部に記憶されたデータに基づいて電子鍵を生成する生成部と、前記生成部において生成された電子鍵を記憶する第１の電子鍵記憶部と、前記電子鍵を、前記制御装置に送信する送信部と、を備え、前記制御装置は、前記無線通信装置から送信された電子鍵を受信する受信部と、前記受信部において受信された電子鍵を記憶する第２の電子鍵記憶部と、前記第２の電子鍵記憶部に記憶された電子鍵に基づいて、所定の処理を実行させる制御部と、を備え、前記無線通信装置では、前記生成部において生成された第１の電子鍵が、前記送信部から送信され、かつ、前記第１の電子鍵記憶部に記憶された後、次に、前記送信部から電子鍵を送信する場合には、前記生成部において、前記データ記憶部に記憶されたデータのうち、前記第１の電子鍵の生成に利用されたデータと異なる種類のデータに基づいて第２の電子鍵を生成し、前記送信部において、前記生成部で生成された前記第２の電子鍵を、前記第１の電子鍵記憶部に記憶されている前記第１の電子鍵とともに送信し、前記制御装置では、前記受信部において受信された第１の電子鍵が、前記第２の電子鍵記憶部に記憶された後に、前記受信部において前記無線通信装置から送信された前記第１の電子鍵と前記第２の電子鍵とが受信された場合には、前記制御部では、前記第２の電子鍵記憶部に記憶された第１の電子鍵と、前記受信部において受信された第１の電子鍵とに基づいて、前記所定の処理を実行し、前記第２の電子鍵記憶部では、前記受信部で受信された前記第２の電子鍵が記憶される、ことを特徴とする。
上述した諸課題を解決すべく、第８の発明による無線通信装置は、所定の処理を実行する制御装置と無線接続される無線通信装置であって、複数種のデータを記憶するデータ記憶部と、前記データ記憶部に記憶されたデータに基づいて電子鍵を生成する生成部と、前記生成部において生成された電子鍵を記憶する電子鍵記憶部と、前記電子鍵を、前記制御装置に送信する送信部と、を備え、前記生成部において生成された第１の電子鍵が、前記送信部から送信され、かつ、前記第１の電子鍵記憶部に記憶された後、次に、前記送信部から電子鍵を送信する場合には、前記生成部において、前記データ記憶部に記憶されたデータのうち、前記第１の電子鍵の生成に利用されたデータと異なる種類のデータに基づいて第２の電子鍵を生成し、前記送信部において、前記生成部で生成された前記第２の電子鍵を、前記電子鍵記憶部に記憶されている前記第１の電子鍵とともに送信する、ことを特徴とする。
【発明の効果】
【０００５】
通信を行うたびに電子鍵の生成に利用するデータを変更して生成した電子鍵で、扉の施錠または開錠を行うので、ユーザの手間をかけることなく、セキュリティを維持することができる。
【発明を実施するための最良の形態】
【０００６】
以降、諸図面を参照しながら、本発明の実施態様を説明する。
図１は、本発明の実施の形態に係る通信システム１０を示している。  
通信システム１０は、無線通信装置２０と、扉の施錠及び開錠を管理する制御装置３０から構成される。無線通信装置２０としては、携帯電話、ＰＤＡ（パーソナルデジタルアシスタンス）等、電話の発着信が可能な携帯できる電子機器、及び／または、電子メールを送信可能な携帯できる電子機器、に幅広く適用することができる。制御装置３０は、住宅における玄関や金庫等、セキュリティ上、施錠を行う必要のある扉に幅広く適用することができる。
次に、図２において、本発明の実施の形態に係る通信システム１０における、無線通信装置２０と、制御装置３０の機能ブロック図を示す。
無線通信装置２０は、無線通信部２１、送受信部２２、表示部２３、記憶部２４、電子鍵生成部２５、更新部２６、操作部２７、及び、上述した各構成部の制御を司る制御部２８、を備えている。記憶部２４は、履歴ファイル記憶部２４０、及び、使用済電子鍵記憶部２４１、を備えている。電子鍵生成部２５は、変換部２５０、演算部２５１、及び、割当部２５２、を備えている。
無線通信部２１は、例えば、時分割多元接続などの無線通信方式に対応する基地局と無線通信することで、他の無線通信装置等と、音声通信や電子メールを送受信する。
送受信部２２は、例えば、ＩｒＤＡ（Ｉｎｆｒａｒｅｄ  Ｄａｔａ  Ａｓｓｏｃｉａｔｉｏｎ）といった赤外線通信の方式に対応し、施錠または開錠の際に電子鍵を、制御装置３０に直接送信する。また、施錠を行ったことを示す施錠信号や、施錠または開錠の拒否を示す拒否信号を、制御装置３０から直接受信する。制御装置３０と直接通信することで、基地局を介した無線通信（所定の通信方式）のようなサーバーを介した電子鍵の送信が行わないので、ネットワークからの電子鍵の流出を防ぐことができる。
表示部２３は、例えば、液晶パネル、有機ＥＬ、ＬＥＤディスプレイ、または、電界放出ディスプレイ等の既知の表示デバイスで構成されている。そして、電子メールの作成画面や、記憶部２４（履歴ファイル記憶部２４０）に記憶されている履歴ファイルにおける履歴データを表示する。
記憶部２４は、履歴ファイル記憶部２４０と、使用済電子鍵記憶部２４１とを備える。      
【０００７】
履歴ファイル記憶部２４０は、電話の発信、電話の着信、電子メール送信、及び、電子メール受信等に関する各履歴ファイルが記憶されている。各履歴ファイルでは、通信相手となる無線通信装置等の、電話番号またはメールアドレスと、通信時の時刻とを対応付けた履歴データが記憶されている（例えば、図４、図５を参照）。履歴ファイル記憶部２４０が記憶する履歴ファイルには、ユーザが表示部２３により表示して過去の履歴を確認できる履歴データだけでなく、ユーザが表示部２３に表示して確認することができない履歴データも一定量記憶されている。また、履歴ファイル内の履歴データには、電子鍵を生成する際に利用する履歴データを示すトリガ変数も対応付けて記憶されている（詳細は後述する）。
使用済電子鍵記憶部２４１は、前回の扉の施錠（開錠）に使用した電子鍵（以下、電子鍵Ｘと記載する。）の生成に利用した電子鍵生成データが記憶されている。電子鍵Ｘは、施錠に利用する電子鍵（以下、電子鍵Ｙと記載する。）とともに送信し、扉の施錠を行う無線通信装置が、無線通信装置２０であることを、制御装置３０に確認させるために利用する。電子鍵Ｘは、電子鍵Ｙによる扉の施錠が行われた後に、電子鍵Ｘの生成に利用した電子鍵生成データとともに消去される。また、電子鍵Ｙによって、制御装置３０による扉の開錠が行われた後に、当該電子鍵Ｙの生成に利用した電子鍵生成データが、使用済電子鍵記憶部２４１に記憶される。このとき、使用済電子鍵記憶部２４１には、使用済みとなった電子鍵Ｙそのものを記憶してもよい。尚、扉の施錠を初めて行う際は、電子鍵Ｘの代わりに、初回認証用データを予め使用済電子鍵記憶部２４１に記憶させおき、当該データを利用して無線通信装置２０であることを制御装置３０に確認させる。
電子鍵生成部２５は、変換部２５０と、演算部２５１と、割当部２５２とを備える。  
変換部２５０は、扉の施錠時または開錠時に、履歴ファイル記憶部２４０に記憶される各履歴ファイル内の、トリガ変数が付加された履歴データを抽出し、電子鍵Ｙを生成するための電子鍵生成データに変換する（詳細は、後述する）。そして、電子鍵生成データを、演算部２５１に出力する。
演算部２５１は、変換部１５０から取得した電子鍵生成データから、電子鍵Ｙを生成し（詳細は、後述する）、送受信部２２へ向けて出力する。扉の開錠時における電子鍵Ｙの生成である場合、当該電子鍵Ｙの生成に利用した電子鍵生成データを使用済電子鍵記憶部２４１へ向けて出力する。また、扉の施錠時に、使用済電子鍵記憶部２４１に記憶されている電子鍵生成データから、電子鍵Ｘを生成し、送受信部２２へ向けて出力する。
割当部２５２は、履歴データに付加されているトリガ変数の再割り当てを行う。これにより、施錠（開錠）する度に、異なる電子鍵Ｙを生成することができる。また、割当部２５２が割り当てるトリガ変数の個数は、制御装置３０が施錠及び開錠を行う扉がある対象物の秘匿レベルに依存する。さらに、トリガ変数の割り当てに関し、更に高セキュリティの電子鍵Ｙを生成するため、トリガ変数を、表示部２３に表示されない履歴データのみに割り当ててもよい。
更新部２６は、電話の発着信やメールの送受信のいずれかが生じる度に、履歴ファイル記憶部２４０に記憶されている履歴ファイルの更新を行う。更新が行われる履歴ファイルでは、トリガ変数が付与された履歴データの履歴Ｎｏ．は更新させず、トリガ変数が付与されていない履歴データの履歴Ｎｏ．のみを、順次更新する（詳細は、後述する）。トリガ変数の付与されている履歴データの履歴Ｎｏ．を固定することで、頻繁に履歴ファイルの更新が行われる場合において、履歴ファイルから電子鍵に利用する履歴データが消去されることがない。また、履歴データの履歴Ｎｏ．を固定することで、頻繁な履歴の更新が行われた場合、トリガ変数の付与されている、消去されない履歴データが、履歴ファイル内の特定の位置に集中しない。
操作部２７は、例えば、キーパッド、キーボタン、または、タッチパネル等の操作キーで構成され、ユーザによるメール作成時の文字入力や、電話をする際の電話番号の入力等を受け付ける。また、ユーザからの扉の施錠及び開錠する際の指示を受け付ける。ユーザによる扉の施錠または開錠を行う際の指示は、例えば、施錠及び開錠だけを行うためのキーボタンを一つ構成してもよいし、キーボタンごとに施錠及び開錠の対象物を割り当ててもよい。なお、操作部２７としては、マイク（図示せず）で構成して、ユーザによる操作指示を音声で入力させるように構成してもよい。
一方、制御装置３０は、送受信部３１、記憶部３２、判定部３３、施錠・開錠部３４、及び、上述した各構成部の制御を司る制御部３５、を備えている。
送受信部３１は、ＩｒＤＡといった赤外線通信の方式によって、無線通信装置２０から直接送信される電子鍵を受信する。また、扉の施錠を行った後に、無線通信装置２０に対し、施錠を行ったことを示す施錠信号や、施錠または開錠の拒否を示す拒否信号を直接送信する。
記憶部３２は、無線通信装置２０から受信した電子鍵（電子鍵Ｘ、電子鍵Ｙ）が記憶されている。記憶部３２に記憶している電子鍵は、受信した電子鍵が、無線通信装置２０によって生成された電子鍵であることを判定するために利用する。
【０００８】
判定部３３は、無線通信装置２０から受信した電子鍵（電子鍵Ｘ、電子鍵Ｙ）と、記憶部３２に記憶する電子鍵とを比較し、電子鍵が、無線通信装置２０により生成された電子鍵であることを判定する。扉の施錠時では、無線通信装置２０から受信した電子鍵Ｘと、記憶部３２に記憶される、前回の扉の施錠および開錠に利用された電子鍵Ｙを比較することで、電子鍵Ｘが無線通信装置２０によって生成された電子鍵であるかを判定する。扉の開錠時では、無線通信装置２０から送信された電子鍵Ｙが、今回の施錠に利用された電子鍵Ｙであるかを、今回の施錠時に受信し、記憶部３２に記憶している電子鍵Ｙと比較して判定を行う。
【０００９】
施錠・開錠部３４は、判定部３３において、無線通信装置２０から送信された電子鍵（電子鍵Ｘ，電子鍵Ｙ）が、無線通信装置２０で生成された電子鍵であると判定された場合に、扉の施錠または開錠を物理的に行う。
【００１０】
次に、図３を用いて、無線通信装置２０の電子鍵生成部２５における、扉の施錠及び開錠に利用する電子鍵の生成について説明する。  
【００１１】
図３（Ａ）は、トリガ変数が付与された履歴データが１つである場合の、電子鍵Ｙの生成を示している。まず、変換部２５０は、履歴ファイル２４０に記憶されている、電話の発信履歴に関する履歴ファイルから、トリガ変数が付与された履歴Ｎｏ．１８の履歴データを抽出する。そして、変換部２５０は、抽出した履歴データを、電子鍵生成データに変換する。履歴データを電子鍵生成データに変換する方法としては、例えば、履歴データに記録されている発信時刻の時刻データと、電話番号データを各々２進変換することで、履歴データから電子鍵生成データに変換する。さらに、セキュリティを高めるために、各々２進変換された後の、時刻データ内や電話番号データ内における各ビットを所定数だけシフトを行ったり、所定の箇所のビットの置換を行ってもよい。変換部２５０によって履歴データから電子鍵生成データに変換された後、演算部２５１は、当該電子鍵生成データを演算して、電子鍵Ｙを生成する。
図３（Ｂ）は、トリガ変数が付与された履歴データが２つある場合の、電子鍵Ｙの生成を示している。まず、変換部２５０は、履歴ファイル２４０に記憶されている、電話の着信履歴に関する履歴ファイルから、トリガ変数が付与された履歴Ｎｏ．１８及びＮｏ．１９の履歴データを抽出する。そして、変換部２５０は、抽出した履歴データを、電子鍵生成データに変換する。演算部２５１は、当該電子鍵生成データを演算し、電子鍵Ｙを生成する。尚、電子鍵の生成において、図３（Ｂ）では、同一の履歴ファイル内に含まれる複数の履歴データから電子鍵を生成しているが、これに限られるものではなく、複数の履歴ファイル内の履歴データにトリガ変数を付与し、当該付与されている履歴データから、電子鍵を生成することも可能である。また、無線通信装置２０は、扉の施錠及び開錠を管理する制御装置３０ごとのトリガ変数を履歴データに付与することで、制御装置３０が管理する扉ごとに、施錠の度に異なる電子鍵を利用することができる。
また、電子鍵生成部２５において、電子鍵Ｘを生成する場合、演算部２５１は、使用済電子鍵記憶部２４１に記憶されている電子鍵生成データを抽出して、当該電子鍵生成データを演算することで、電子鍵Ｘを生成する。
次に、図４、図５を用いて、無線通信装置２０の更新部２６における、履歴ファイル記憶部２４０に記憶されている履歴ファイルの更新について説明する。  
【００１２】
図４（Ａ）は、電子メールの送信履歴に関する履歴ファイルで、トリガ変数が付与された履歴データがない履歴ファイルを示している。扉の施錠後、ユーザが無線通信装置２０から、他の無線通信装置等に電子メールを送信すると、電子メールの送信履歴に関する履歴ファイルを、更新部２６は更新する。具体的には、新規の電子メールの送信に関連する履歴として、送信先のメールアドレスと、電子メール送信時の時刻を、当該履歴ファイルにおける履歴データの履歴Ｎｏ．１とする。そして、新規の電子メールの送信が生じる前に履歴Ｎｏ．１だったものを履歴Ｎｏ．２とする履歴データとし、履歴Ｎｏ．２だったものを新たな履歴Ｎｏ．３と、以降、順次、履歴Ｎｏ．を更新し、履歴ファイルの更新を終了する。
図４（Ｂ）は、電話の発信履歴に関する履歴ファイルで、トリガ変数が付与されている履歴データが１つ含まれている履歴データを示している。扉の施錠後、ユーザが無線通信装置２０から、他の無線通信装置等に電話を発信すると、電話の発信履歴に関する履歴ファイルを、更新部２６は更新する。まず、トリガ変数が付加されている履歴Ｎｏ．１８の履歴データを固定することで、履歴ファイルの更新時、履歴Ｎｏ．を履歴Ｎｏ．１８のままに固定する。次に、新規の電話の発信に関連する履歴として、発信先の電話番号と、発信時の時刻を、電話の発信に関する履歴ファイルにおける履歴データの履歴Ｎｏ．１とする。そして、新規の電子メールの送信が生じる前に履歴Ｎｏ．１だったものを履歴Ｎｏ．２とする履歴データとし、以降、順次更新する。そして、更新前に履歴Ｎｏ．１７の履歴データを新たな履歴Ｎｏ．１９とし、その後、再び、順次、履歴Ｎｏ．を更新し、履歴ファイルの更新を終了する。
図５（Ｃ）は、電話の着信履歴に関する履歴ファイルで、トリガ変数が付与されている履歴データが連続して含まれている履歴データを示している。扉の施錠後、ユーザが無線通信装置２０から、他の無線通信装置等から電話の着信があると、電話の着信履歴に関する履歴ファイルを、更新部２６は更新する。まず、トリガ変数が付加されている履歴Ｎｏ．１８及び履歴Ｎｏ．１９の履歴データを固定することで、履歴ファイルの更新時、履歴Ｎｏ．を、当該履歴Ｎｏ．１８及び履歴Ｎｏ．１９の履歴データをそのままにし、更新しない様にする。次に、新規の電話の着信に関連する履歴として、発信元の電話番号と、着信時の時刻を、電話の発信に関する履歴ファイルにおける履歴データの履歴Ｎｏ．１とする。そして、新規の電話の着信が生じる前に履歴Ｎｏ．１だったものを履歴Ｎｏ．２とする履歴データとし、以降、順次更新する。そして、更新前に履歴Ｎｏ．１７の履歴データを新たな履歴Ｎｏ．２０とし、その後、再び、順次、履歴Ｎｏ．を更新し、履歴ファイルの更新を終了する。
図５（Ｄ）は、電子メールの受信履歴に関する履歴ファイルで、トリガ変数が付与されている履歴データが連続せずに含まれている履歴データを示している。扉の施錠後、ユーザが無線通信装置２０から、他の無線通信装置等から電子メールを受信すると、電子メールの受信履歴に関する履歴ファイルを、更新部２６は更新する。まず、トリガ変数が付加されている履歴Ｎｏ．１８及び履歴Ｎｏ．２０の履歴データを固定することで、履歴ファイルの更新時、履歴Ｎｏ．を当該履歴Ｎｏ．１８及び履歴Ｎｏ．２０の履歴データをそのままにし、更新しない様にする。次に、新規の電子メールの受信に関連する履歴として、電子メールの送信元のメールアドレスと、受信時の時刻を、電子メールの受信に関する履歴ファイルにおける履歴データの履歴Ｎｏ．１とする。そして、新規の電子メールを受信する前に履歴Ｎｏ．１だったものを履歴Ｎｏ．２とする履歴データとし、以降、順次更新する。そして、更新前に履歴Ｎｏ．１７の履歴データを新たな履歴Ｎｏ．１９とし、更新前に履歴Ｎｏ．１７の履歴データは消去される。
次に、図６を用いて、通信システム１０の無線通信装置２０における、本発明実施の形態に係るフローチャートを示す。下記説明では、事前にユーザは、制御装置３０が管理する扉を少なくとも一度開錠しており、前回の開錠に利用した電子鍵Ｘを生成するための電子鍵生成データを使用済電子鍵記憶部２４１に記憶していることを前提とする。
まず、無線通信装置２０における操作部２７の操作キーがユーザによって操作されることで、制御部２８が、扉の施錠の指示を検出すると、前回の施錠・開錠に利用した電子鍵Ｘと、今回の施錠・開錠に利用する電子鍵Ｙとを、制御部２８は、電子鍵生成部２５に生成させる（Ｓ１０１）。次に、生成した電子鍵Ｘ及び電子鍵Ｙを送受信部２２から制御装置３０に送信する（Ｓ１０２）。制御装置３０から、施錠をした旨を通知する施錠信号を、送受信部２２が受信すると（Ｓ１０３）、制御部２８は、扉の施錠が行なわれたことを把握し、記憶部２４の使用済電子鍵記憶部２４１に記憶している、電子鍵Ｘを作成するために利用した電子鍵生成データを消去する（Ｓ１０４）。
その後、操作部２７の操作キーをユーザが操作し、扉の開錠の指示を制御部２８が検出するまでの間、制御部２８は、履歴ファイル記憶部２４０に記憶される履歴ファイルを更新する必要のある、電話の発着信やメールの送受信などがあるかを確認する（Ｓ１０５）。電話の発着信・メールの送受信などがない場合（Ｓ１０５Ｎｏに相当）には、ユーザが扉の開錠の指示をするかどうかを制御部２８が検出するフローに移動する（Ｓ１０７）。一方、制御部２８が、操作部２７の操作キーをユーザが操作したり、無線通信部２１にて受信するデータから、電話の発着信・メールの送受信などが生じたことを検出した場合（Ｓ１０５Ｙｅｓに相当）には、更新部２６に、対象となる、履歴ファイルを更新させる（Ｓ１０６）。
更新部２６による、対象となる履歴ファイルの更新（Ｓ１０６）が終了したり、電話の発着信・メールの送受信などがない場合（Ｓ１０５Ｎｏに相当）には、制御部２８は、扉の開錠の指示の検出を行なう（Ｓ１０７）。制御部２８が、扉の開錠の指示を検出していない場合（Ｓ１０７Ｎｏに相当）は、Ｓ１０５に戻り、再度、電話の発着信やメールの送受信などがあるかを確認する。一方、制御部２８が、扉の開錠の指示を検出した場合（Ｓ１０７Ｙｅｓに相当）は、電子鍵生成部２５に電子鍵Ｙを生成させ（Ｓ１０８）、送受信部２２から、生成した電子鍵Ｙを制御装置３０に送信して、扉２０を開錠する（Ｓ１０９）。その後、電子鍵Ｙを生成した電子鍵生成データを、使用済電子鍵記憶部２４１に記憶させて（Ｓ１１０）、処理を終了する。
次に、図７を用いて、図６のＳ１０１での、電子鍵Ｘおよび電子鍵Ｙを生成するフローチャートを示す。まず、制御部２８が、操作部２７の操作キーをユーザが操作することで、扉の施錠の指示を検出すると、電子鍵Ｘを電子鍵生成部２５に生成させる（Ｓ２０１）。具体的には、電子鍵生成部２５における演算部２５１が、使用済電子鍵記憶部２４１に記憶される電子鍵生成データから、電子鍵Ｘを生成する。次に、生成された電子鍵Ｘが、施錠する扉に対応する電子鍵として正しいか、制御部１８は判定する（Ｓ２０２）。そして、間違っていれば（Ｓ２０２Ｎｏに相当）、処理を終了し、一方、正しければ（Ｓ２０２Ｙｅｓに相当）、その電子鍵Ｘを一時的に記憶部２４に記憶しておく。
その後、割当部２５２は、履歴ファイル記憶部２４０に記憶されている履歴ファイルの履歴データに設定されているトリガ変数の再割り当てを行う（Ｓ２０３）。具体的には、前回の施錠・開錠に利用した履歴データに設定されているトリガ変数をクリアし、制御装置３０が施錠及び開錠を制御する扉の秘匿レベル毎に決められた電子鍵生成データに必要なトリガ変数数量分、当該履歴データにトリガ変数を再割り当てする。
次に、トリガ変数が再割り当てされた履歴データにて、電子鍵生成部２５は、電子鍵Ｙを生成する（Ｓ２０４）。具体的には、変換部２５０が、履歴ファイルから、トリガ変数が付与された履歴データを抽出し、当該履歴データを電子鍵生成データに変換する。そして、演算部２５１が、変換部２５０にて変換された電子鍵生成データから、電子鍵Ｙを生成して処理を終了する。
次に、図８を用いて、図６のＳ１０６での、履歴ファイル記憶部２４０に記憶される、履歴ファイル更新のフローチャートを示す。まず、図６のＳ１０５で、電話の発着信や、メールの送受信などが確認された場合には、当該確認がされた事象に関連する履歴ファイルを、更新部２６は、選択する（Ｓ３０１）。このとき、履歴ファイルは、電話の発着信やメールの送受信が同時に生じることがないため、必ず１つの履歴ファイルが選択される。次に、更新部２６は、選択された履歴ファイル内にて、トリガ変数が付加されている履歴データの有無を判定する（Ｓ３０２）。このとき、選択した履歴ファイルの全履歴データにトリガ変数が付加されていない場合（Ｓ３０２Ｎｏに相当）、履歴ファイルにおいて、通常通りの更新を行い（Ｓ３０５）（図４（Ａ）を参照。）、履歴ファイルの更新に関する処理を終了する。
一方、選択した履歴ファイルに、トリガ変数が付加されている履歴データがある場合（Ｓ３０２Ｙｅｓに相当）、更新部２６は、トリガ変数が付加されている履歴データの履歴Ｎｏ．を固定し（Ｓ３０３）、その後、履歴Ｎｏ．が固定された履歴データを除いた履歴データを順次更新し（Ｓ３０４）（図４（Ｂ）、図５（C）、および図５（Ｄ）を参照。）、履歴ファイルの更新に関する処理を終了する。
次に、図９を用いて、通信システム１０における制御装置３０の、本発明実施のフローチャートを示す。  
【００１３】
制御装置３０における送受信部３１は、無線通信装置２０から電子鍵を受信すると（Ｓ４０１）、受信した電子鍵によって、扉を施錠するか、開錠するのかを判定部３３は判定する（Ｓ４０２）。具体的には、受信した電子鍵が、電子鍵Ｘと電子鍵Ｙの２つであるか、または、電子鍵Ｙのみであるかによって判定する。このとき、受信した電子鍵が、電子鍵Ｘと電子鍵Ｙであった場合、施錠と判定し（Ｓ４０２Ｎｏに相当）、次に、電子鍵Ｘが、無線通信装置２０によって生成された電子鍵であるか否かを判定する（Ｓ４０５）。具体的には、記憶部３２に記憶されている前回開錠に利用した電子鍵と、受信した電子鍵Ｘとを比較して判定する。そして、電子鍵Ｘが無線通信装置２０によって生成された電子鍵であると判定した場合（Ｓ４０５Ｙｅｓに相当）、制御部３５は、ともに受信した電子鍵Ｙを扉の施錠に利用する電子鍵とし、施錠・開錠部３４に扉を物理的に施錠させる（Ｓ４０６）。その後、施錠をした旨の施錠信号を送受信部３１から、無線通信装置２０へ送信し（Ｓ４０７）、処理を終了する。一方、Ｓ４０５において、電子鍵Ｘが無線通信装置２０によって生成された電子鍵でないと判定した場合（Ｓ４０５Ｎｏに相当）、扉の施錠を拒否する信号を無線通信装置２０へ送信し（Ｓ４０８）、処理を終了する。
一方、Ｓ４０２にて、受信した電子鍵が、電子鍵Ｙのみである場合、判定部３３は、開錠と判定する（Ｓ４０２Ｙｅｓに相当）。次に、受信した電子鍵Ｙと、記憶部３２に記憶される、施錠時に記憶した電子鍵Ｙと比較することで判定する（Ｓ４０３）。そして、電子鍵Ｙが無線通信装置２０によって生成された電子鍵であると判定した場合（Ｓ４０３Ｙｅｓに相当）、制御部３５は、施錠・開錠部３４に扉を物理的に開錠させて処理を終了する（Ｓ４０４）。一方、Ｓ４０３において、電子鍵Ｙが無線通信装置２０によって生成された電子鍵でないと判定した場合（Ｓ４０３Ｎｏに相当）、扉の開錠を拒否する信号を無線通信装置２０へ送信し（Ｓ４０９）、処理を終了する。
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、あるいは分割したりすることが可能である。
また、電話の発信・着信履歴や、電子メールの送信・受信履歴や、発信・着信・送信・受信時間のデータを用い、電子鍵を生成したが、上記データ以外にも、グループ登録、通信相手の第２電話番号、通信相手の第２メールアドレス、通信相手の生年月日、住所等、無線通信装置の電話帳に設定可能なデータもトリガ変数の割り当て可能にしてもよい。さらに、履歴データとして、受信した電子メールにおける件名や、本文や、自分以外の送信先として記載されているメールアドレスを利用してもよい。
さらに、本実施例においては、開錠時には、開錠に利用する電子鍵のみを送付していたが、それ以外にも次回時の施錠に利用する電子鍵を同時に送信しても良い。また、同様に、施錠時と開錠時に使用する電子鍵を異なる電子鍵とするために、施錠時に施錠に用いる電子鍵と、開錠に利用する電子鍵とを同時に送信してもよい。これにより、さらにセキュリティを維持することが可能となる。
【図面の簡単な説明】
【００１４】
【図１】本発明の実施形態に係る通信システムを示す図である。
【図２】本発明の実施形態に係る通信システムにおける無線通信装置と、制御装置の機能ブロックを示す図である。
【図３】本発明の実施形態に係る電子鍵の生成を示す図である。
【図４】本発明の実施形態に係る履歴ファイルの履歴データの更新を示す図である。
【図５】本発明の実施形態に係る履歴ファイルの履歴データの更新を示す図である。
【図６】本発明の実施形態に係る無線通信装置の、施錠から開錠までを示す処理のフローチャートである。
【図７】本発明の実施形態に係る無線通信装置の、施錠時の電子鍵の生成処理を示すフローチャートである。
【図８】本発明の実施形態に係る無線通信装置の、履歴ファイルの履歴データの更新処理を示すフローチャートである。
【図９】本発明の実施形態に係る制御装置の、施錠から開錠までを示す処理のフローチャートである。
【符号の説明】
【００１５】
１０：通信システム
２０：無線通信装置
２１：無線通信部
２２：送受信部
２３：表示部
２４：記憶部
２５：電子鍵生成部
２６：更新部
２７：操作部
２８：制御部
２４０：履歴ファイル記憶部
２４１：使用済電子鍵記憶部
２５０：変換部
２５１：演算部
２５２：割当部
３０：制御装置
３１：送受信部
３２：記憶部
３３：判定部
３４：施錠・開錠部
３５：制御部
【図１】
2009263974.tif 000003
【図２】
2009263974.tif 000004
【図３】
2009263974.tif 000005
【図４】
2009263974.tif 000006
【図５】
2009263974.tif 000007
【図６】
2009263974.tif 000008
【図７】
2009263974.tif 000009
【図８】
2009263974.tif 000010
【図９】
2009263974.tif 000011